(57)【要約】  本発明は、データタッチスクリーン用識別パターンの形成装置及び方法に関し、本発明のデータタッチスクリーン用識別パターンの形成方法は、タッチスクリーンに領域形成ポイントをタッチしてタッチ領域を定義する（ａ）段階及び前記タッチ領域内に識別パターンポイントをタッチして識別パターンを形成する（ｂ）段階を含む。
2017504117.tif 000002
【特許請求の範囲】
【請求項１】
タッチスクリーンに領域形成ポイントをタッチしてタッチ領域を定義する（ａ）段階と、
前記タッチ領域内に識別パターンポイントをタッチして識別パターンを形成する（ｂ）段階を含むタッチスクリーン用識別パターンの形成方法。
【請求項２】
前記領域形成ポイントは複数であり、
前記（ａ）段階は前記識別パターンポイントが順次にタッチされて前記タッチ領域を定義する請求項１に記載のタッチスクリーン用識別パターンの形成方法。
【請求項３】
前記領域形成ポイントは、一定の時間間隔によって順次にタッチされたり同時にタッチされる請求項２に記載のタッチスクリーン用識別パターンの形成方法。
【請求項４】
前記タッチ領域は、凸ｎ角形の（ここで、ｎは３以上の自然数）形状である請求項１に記載のタッチスクリーン用識別パターンの形成方法。
【請求項５】
形成された前記識別パターンを印加し、前記識別パターンの対応するあらかじめ設定されたイベントを実行する（ｃ）段階と、
前記識別パターンの有効か否かを判断する（ｄ）段階をさらに含む請求項１に記載のタッチスクリーン用識別パターンの形成方法。
【請求項６】
前記（ｄ）段階は時間情報または位置情報をサーバに伝送する段階と、
前記伝送された時間情報または位置情報を利用して前記サーバが前記識別パターンが有効か否かを判断する段階を含む請求項５に記載のタッチスクリーン用識別パターンの形成方法。
【請求項７】
前記あらかじめ設定されたイベントは前記タッチスクリーンが前記識別パターンに対応する場所に位置するものである請求項５に記載のタッチスクリーン用識別パターンの形成方法。
【請求項８】
前記請求項１ないし請求項７のうち何れか一項において、
前記領域形成ポイント及び前記識別パターンポイントは互いに異なる位置にタッチされるタッチスクリーン用識別パターンの形成方法。
【請求項９】
ユーザが手で握られる取手部と、
前記取手部と連結され、タッチスクリーンに電気的または物理的信号を印加できるタッチスクリーンタッチ部を含み、
前記タッチスクリーンタッチ部は前記タッチスクリーンに領域形成ポイントをタッチしてタッチ領域を定義し、前記タッチ領域内に識別パターンポイントをタッチして識別パターンを形成するタッチスクリーン用識別パターンの形成装置。
【請求項１０】
前記取手部は導電性材質で形成され、
前記タッチスクリーンタッチ部は前記ユーザの手の静電気を利用して前記電気的信号を印加する請求項９に記載のタッチスクリーン用識別パターンの形成装置。
【請求項１１】
前記タッチスクリーンタッチ部に電源を供給する電源部をさらに含む請求項９に記載のタッチスクリーン用識別パターンの形成装置。
【請求項１２】
前記識別パターンは互いに異なる場所の識別に利用される請求項９に記載のタッチスクリーン用識別パターンの形成装置。
【発明の詳細な説明】
【技術分野】
【０００１】
本発明はタッチスクリーン用識別パターンの形成装置及び方法に関する。
【背景技術】
【０００２】
スマートフォンなどの電子装置に装着されるタッチスクリーンはタッチによって入力が印加される。このようなタッチスクリーンは多様な方式が存在し得る。例えば、静電式は人の身体にある静電気または特定電流を利用してタッチする方式であり、減圧式は圧力を利用してタッチする方式である。この他にも、電子誘導タッチ、超音波式タッチ及び赤外線タッチ方式も使用されている。
【０００３】
静電式の場合はマルチタッチといってタッチスクリーンの複数の地点を同時にタッチすると、これを同時に認識する機能がある。このようなマルチタッチを利用するとマルチタッチされたポイントを利用した多様なパターンをスマートフォンなどの電子装置に入力することができる。このような多様なパターンは互いに識別される種類の数だけ特定識別表示として使用され得る。
【０００４】
ただし、技術の限界によりマルチタッチが可能な地点の個数が制限されている。例えば、特定スマートフォンのマルチタッチは約２個ないし５個の地点だけを認識することができ、特定プログラム画面、例えばウェブブラウザを使用する場合はマルチタッチの個数がさらに限られる。したがって、このような識別表示の種類の数が制限されるしかない。これによって、マルチタッチによる識別パターンは一定の数以上のユーザや場所などを識別するのに限界がある。したがって、マルチタッチパターンを利用した識別方式の限界を克服できる方法が必要な実情である。
【先行技術文献】
【特許文献】
【０００５】
【特許文献１】韓国公開特許第１０−２０１２−００３０３０８号公報
【発明の概要】
【発明が解決しようとする課題】
【０００６】
本発明が解決しようとする課題は、前記説明した問題点を解決するためにより多様に識別され得るタッチスクリーン用識別パターンの形成方法を提供することにある。
【０００７】
本発明が解決しようとする他の課題は、前記説明した問題点を解決するためにより多様に識別され得るタッチスクリーン用識別パターンの形成装置を提供することにある。
【０００８】
本発明の技術的課題は以上で言及した技術的課題に制限されず、言及されていないまた他の技術的課題は次の記載から通常の技術者に明確に理解されるであろう。
【課題を解決するための手段】
【０００９】
前記課題を解決するための本発明の一実施形態によるタッチスクリーン用識別パターンの形成方法は、タッチスクリーンに領域形成ポイントをタッチしてタッチ領域を定義する（ａ）段階及び前記タッチ領域内に識別パターンポイントをタッチして識別パターンを形成する（ｂ）段階を含む。
【００１０】
前記領域形成ポイントは複数であり、前記（ａ）段階は前記領域形成ポイントが順次にタッチされて前記タッチ領域を定義することができる。
【００１１】
前記領域形成ポイント及び前記識別パターンポイントは一定の時間間隔によって順にタッチされる。
【００１２】
前記タッチ領域は凸ｎ角形の（ここで、ｎは３以上の自然数）形状であり得る。
【００１３】
ここで、前記形成された識別パターンを印加して前記識別パターンに対応するあらかじめ設定されたイベントを実行する（ｃ）段階と、前記識別パターンをサーバに伝送し、有効か否かを判断する（ｄ）段階をさらに含み得る。
【００１４】
前記（ｄ）段階は時間情報または位置情報をサーバに伝送する段階と、前記伝送された時間情報または位置情報を利用して前記サーバが前記識別パターンが有効か否かを判断する段階を含み得る。
【００１５】
前記特定イベントは前記タッチスクリーンが前記識別パターンに対応する場所に位置するものであり得る。
【００１６】
前記領域形成ポイント及び前記識別パターンポイントは互いに異なる位置にタッチされ得る。
【００１７】
前記他の課題を解決するための本発明の一実施形態によるタッチスクリーン用識別パターンの形成装置は、ユーザが手で握られる取手部及び前記取手部と連結され、タッチスクリーンに電気的または物理的信号を印加できるタッチスクリーンタッチ部を含み、前記タッチスクリーンタッチ部は前記タッチスクリーンに領域形成ポイントをタッチしてタッチ領域を定義し、前記タッチ領域内に識別パターンポイントをタッチして識別パターンを形成する。
【００１８】
前記取手部は導電性材質で形成され、前記タッチスクリーンタッチ部は前記ユーザの手の静電気を利用して前記電気的信号を印加することができる。
【００１９】
ここで、前記タッチスクリーンタッチ部に電源を供給する電源部をさらに含み得る。
【００２０】
前記識別パターンは互いに異なる場所の識別に利用され得る。
【００２１】
その他実施形態の具体的な内容は詳細な説明及び図面に含まれている。
【発明の効果】
【００２２】
本発明は既存の識別パターンより多様な識別パターンを形成することができる。
【００２３】
また、本発明はマルチタッチが可能な静電式タッチスクリーンだけでなくマルチタッチが難しい他の方式のタッチスクリーンでも使用することができ、マルチタッチが制限されるウェブブラウザなどの環境でも使用することができる。
【００２４】
また、本発明は特定識別表示として使用され、各識別表示別のイベントを感知することができる。
【００２５】
本発明の効果は以上で言及した効果に制限されず、言及されていないまた他の効果らは次の記載から通常の技術者に明確に理解されるであろう。
【図面の簡単な説明】
【００２６】
【図１】本発明の一実施形態によるタッチスクリーン用識別パターンの形成方法が使用されるタッチスクリーンを含むスマートフォンの例示図である。
【図２】既存のマルチタッチを利用したパターンの例示図である。
【図３】本発明の一実施形態によるタッチスクリーン用識別パターンの形成方法を説明するための順序図である。
【図４】本発明の一実施形態によるタッチスクリーン用識別パターンの形成方法の中間段階を説明するための例示図である。
【図５】本発明の一実施形態によるタッチスクリーン用識別パターンの形成方法の中間段階を説明するための例示図である。
【図６】本発明の一実施形態によるタッチスクリーン用識別パターンの形成方法の中間段階を説明するための例示図である。
【図７】本発明の他の実施形態によるタッチスクリーン用識別パターンの形成方法を説明するための例示図である。
【図８】本発明の一実施形態によるタッチスクリーン用識別パターンの形成装置を説明するための斜視図である。
【図９】本発明の一実施形態によるタッチスクリーン用識別パターンの形成装置のタッチを説明するための側面図である。
【図１０】本発明の他の実施形態によるタッチスクリーン用識別パターンの形成装置を説明するための斜視図である。
【図１１】図１０のタッチスクリーンタッチ部を詳細に説明するための拡大側面図である。
【発明を実施するための形態】
【００２７】
本発明の利点及び特徴、これらを達成する方法は添付する図面と共に詳細に後述する実施形態において明確になるであろう。しかし、本発明は、以下で開示する実施形態に限定されるものではなく、互いに異なる多様な形態で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。明細書全体にかけて同一参照符号は同一構成要素を指称する。
【００２８】
第１、第２などが多様な素子、構成要素を叙述するために使用されるが、これら素子、構成要素はこれらの用語によって制限されないことはいうまでもない。これらの用語は、単に一つ構成要素を他の構成要素と区別するために使用するものである。したがって、以下で言及される第１素子、第１構成要素または第１セクションは本発明の技術的思想内で第２素子、第２構成要素、または第２セクションであり得ることは勿論である。
【００２９】
素子（ｅｌｅｍｅｎｔｓ）または層が他の素子または層の「上（ｏｎ）」と指称された場合、他の素子の真上にまたは中間に他の層または他の素子を介在する場合のすべてを含む。明細書全体において、同一の参照符号は同一の構成要素を指称する。反面、素子が「直接の上（ｄｉｒｅｃｔｌｙ  ｏｎ）」または「真上」と指称される場合は、中間に他の素子または層を介在しないことを示す。
【００３０】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは図面に図示するように一つの素子または構成要素と異なる素子または構成要素との相関関係を容易に記述するために使用され得る。空間的に相対的な用語は、図面に図示する方向に加え、使用時または動作時の素子の互いに異なる方向を含む用語として理解しなければならない。例えば、図面に図示する素子をひっくり返す場合、他の素子の「下（ｂｅｌｏｗ）」または「下（ｂｅｎｅａｔｈ）」と記述された素子は他の素子の「上（ａｂｏｖｅ）」に置かれる。したがって、例示的な用語である「下」は下と上の方向をすべて含み得る。素子は他の方向にも配向し得、これにより空間的に相対的な用語は配向により解釈される。
【００３１】
本明細書で使用された用語は実施形態を説明するためであり、本発明を制限しようとするものではない。本明細書で、単数型は文句で特に言及しない限り複数型も含む。明細書で使用される「含む（ｃｏｍｐｒｉｓｅｓ）」および／または「含む（ｃｏｍｐｒｉｓｉｎｇ）」は言及された構成要素、段階、動作および／または素子は一つ以上の他の構成要素、段階、動作および／または素子の存在または追加を排除しない。
【００３２】
他に定義されなければ、本明細書で使用されるすべての用語（技術および科学的用語を含む）は、本発明が属する技術分野で通常の知識を有する者が共通に理解できる意味として使用され得る。また一般に使用される辞典に定義されている用語は明白に特別に定義されていない限り理想的にまたは過度に解釈しない。
【００３３】
以下、図１を参照して本発明の一実施形態によるタッチスクリーン用識別パターンの形成方法が使用されるタッチスクリーンについて説明する。
【００３４】
図１は本発明の一実施形態によるタッチスクリーン用識別パターンの形成方法が使用されるタッチスクリーンを含むスマートフォンの例示図である。
【００３５】
図１を参照すると、スマートフォン１０はタッチスクリーン１００を含む。
本発明の一実施形態によるタッチスクリーン用識別パターンの形成方法はタッチスクリーン１００上で使用され得る。タッチスクリーン１００を含む電子装置であれば必ずスマートフォンではなくても本発明の方法が使用され得る。例えば、タブレットＰＣなどにもタッチスクリーン１００が含まれる場合は、本発明の方法が使用され得る。
【００３６】
タッチスクリーン１００は静電式であり得る。ただし、これに制限されず、減圧式でもあり得る。静電式タッチスクリーンは人体の静電気及び電流を利用してタッチを認識する方式であり、減圧式タッチスクリーンは圧力を感知してタッチを認識する方式である。
【００３７】
既存の減圧式タッチスクリーンは相対的にマルチタッチまたは多重タッチの実現が容易ではないため、マルチタッチまたは多重タッチによる識別パターンの形成が難しかった。ただし、本発明の一実施形態によるタッチスクリーン用識別パターンの形成方法はマルチタッチの代りに順次的なタッチを利用して静電式ではない減圧式のタッチスクリーンでも使用が可能である。以下、図２を参照して既存のマルチタッチによる識別パターンを形成する方法について説明する。
【００３８】
図２は既存のマルチタッチを利用したパターンの例示図である。
【００３９】
既存の方式はタッチスクリーン１００内に複数のポイントを同時にタッチすることができる。例えば、図面に示すように３個のポイントをタッチする場合が考えられる。タッチスクリーン１００の空間はポイントが横及び縦に１０個ずつタッチされる地点を含む。すなわち、１０Ｘ１０＝１００個のタッチポイントを有する正方形のタッチスクリーン１００であると仮定する。
【００４０】
第１パターン１２０ａは３個のポイントを有するため、１００Ｘ９９Ｘ９８＝９７０，２００個の種類の数で３個のポイントを決めることができる。仮に、４個のポイントを有する場合、１００Ｘ９９Ｘ９８Ｘ９７＝９４，１０９，４００個の種類の数であり、３個のポイントの場合より多い。
【００４１】
ただし、第２パターン１２０ｂ及び第３パターン１２０ｃのように位置だけを移動するパターンの場合は同じパターンとして認識されなければならない。また、第４パターン１２０ｄ及び第５パターン１２０ｅのように回転移動する場合にも同じパターンとして認識されなければならない。このように同じパターンとして認識される場合の数をすべて引くと、実際に識別される種類の数は相当減る。
【００４２】
以下、図３ないし図６を参照して本発明の一実施形態によるスクリーン用識別パターンの形成方法について説明する。
【００４３】
図３は本発明の一実施形態によるタッチスクリーン用識別パターンの形成方法を説明するための順序図であり、図４ないし６は本発明の一実施形態によるタッチスクリーン用識別パターンの形成方法の中間段階を説明するための例示図である。
【００４４】
図３及び図４を参照すると、領域形成ポイントをタッチしてタッチ領域を定義する（Ｓ３００）。
【００４５】
領域形成ポイント（１、２、３）はタッチスクリーン１００上にタッチされ得る。具体的にはタッチスクリーン１００のタッチポイント上に領域形成ポイント（１、２、３）がタッチされ得る。領域形成ポイント（１、２、３）は一つであり得、複数でもあり得る。タッチ領域２００を定義することができれば領域形成ポイント（１、２、３）の数に制限はない。
【００４６】
領域形成ポイント（１、２、３）が複数である場合、領域形成ポイント（１、２、３）は順次にタッチされ得る。領域形成ポイント（１、２、３）がタッチされる順序はタッチ領域２００の定義によって変わり得る。例えば、図面に示すようにタッチ領域２００が四角形である場合、第２領域形成ポイント２を左側上段の頂点にあらかじめ設定することができる。したがって、前記あらかじめ設定した条件に合わせて順次に領域形成ポイント（１、２、３）をタッチしてタッチ領域２００を形成することができる。領域形成ポイント（１、２、３）は順次にタッチされ得る。領域形成ポイント（１、２、３）は一定の時間間隔によって順次にタッチされ得る。領域形成ポイント（１、２、３）がタッチされる時間間隔は微細な時間間隔であり得る。前記領域形成ポイント（１、２、３）は以下で説明するタッチスクリーン用識別パターンの形成装置５００によってタッチされ得る。タッチスクリーン用識別パターンの形成装置５００は自動的に電気的な信号または物理的な信号をタッチスクリーンに印加して領域形成ポイント（１、２、３）を順次にタッチすることができる。
【００４７】
前記一定の時間間隔はタッチスクリーンが同時にタッチされることであり、認識する最大時間よりは大きくてもよい。領域形成ポイント（１、２、３）が順次にタッチされるものとして認識されなければならないからである。前記一定の時間間隔は総タッチ時間が十分に短くなるように十分に短くてもよい。領域形成ポイント（１、２、３）及び識別パターンポイント（４、５、６）の間の時間間隔をすべて合わせて全体のタッチ時間になる。前記全体タッチ時間が長すぎると、タッチスクリーン用識別パターンの形成装置５００のユーザが不便を感じたり、エラーが生じ得るため、これに対する上限を定めることができる。前記一定の時間間隔で「一定」とは微細な時間差を含む概念である。
【００４８】
領域形成ポイント（１、２、３）がマルチタッチではない順次にタッチされる場合は、マルチタッチが比較的簡単な静電式だけではなく、他の方式のタッチスクリーンにも適用され得るという長所がある。
【００４９】
静電式タッチスクリーンの場合も、デスクトップの背景やアプリを駆動する画面には複数のマルチタッチが約５個まで具現されるが、ウェブブラウザを実行する場合は２個以下のタッチだけを認識する場合もある。すなわち、マルチタッチにはソフトウェア的な制限もあり得る。これについて、本発明の一実施形態によるタッチスクリーン用識別パターンの形成方法は順次にタッチを印加することによって、前記ソフトウェア的な制限から自由であり得る。
【００５０】
ただし、領域形成ポイント（１、２、３）は順次的ではなく同時にタッチされることもできることは勿論である。マルチタッチが可能なタッチスクリーン１００にタッチする場合は領域形成ポイント（１、２、３）を同時にタッチされることもできる。この場合は、許容されるマルチタッチの個数によって領域形成ポイント（１、２、３）の個数があらかじめ調整され得る。
【００５１】
タッチ領域２００は領域形成ポイント（１、２、３）により定義され得る。タッチ領域２００は領域形成ポイント（１、２、３）及びあらかじめ設定された条件によって定義されることもできる。タッチ領域２００はタッチスクリーン１００上の平面図形の形状であり得る。例えば、図面に示すようにタッチ領域２００は長方形であり得る。
【００５２】
タッチ領域２００が長方形である場合も、前記あらかじめ設定された条件は多様であり得る。図面に示すように、第１領域形成ポイント１は前記長方形の上辺上のポイントであり、第２領域形成ポイント２は前記長方形の左側上段の頂点であり得る。第３領域形成ポイント３は前記長方形の左辺上のポイントであり得る。前記上辺の長さ（ａ）及び左辺の長さ（ｂ）はあらかじめ設定され得る。
【００５３】
長方形のタッチ領域２００が形成される条件はこれに限定されない。例えば、前記長方形の頂点のうち総３個の頂点を領域形成ポイント（１、２、３）とする方式も可能である。ただし、この場合は前記辺の長さ（ａ、ｂ）を指定する方式に比べてタッチ領域２００が小さくなる。すなわち、前記頂点がタッチされる方式は領域形成ポイント（１、２、３）の間の距離に応じて長方形の辺の長さが決定されるが、辺の長さ（ａ、ｂ）をあらかじめ設定する方式によれば、領域形成ポイント（１、２、３）の間の距離よりさらに長い辺を有する長方形形状のタッチ領域２００も定義され得る。ただし、前記タッチ領域２００の広さがタッチスクリーン１００内でのみ定義されるのは勿論である。
【００５４】
辺の長さ（ａ、ｂ）を選択する方式は前記上辺及び左辺上のいずれかのタッチポイントをタッチしてタッチ領域２００が同一になるように形成することができる。このような場合は同じタッチ領域２００が設定され得る。ただし、この場合にも領域形成ポイント（１、２、３）が互いに異なってタッチされたので、互いに異なる識別パターンとして認識され得る。すなわち、最終識別パターンの形成には識別パターンポイント（４、５、６）だけではなく、領域形成ポイント（１、２、３）も共に使用され得る。
【００５５】
タッチ領域２００の形状は特に制限されない。例えば、凸ｎ角形（ここで、ｎは３以上の自然数である。）の形状であり得る。このような場合ｎの大きさに応じて領域形成ポイント（１、２、３）の個数が変わり得る。すなわち、あらかじめ設定された条件及び領域形成ポイント（１、２、３）を利用してタッチ領域が定義されるのであれば、領域形成ポイント（１、２、３）の個数及び順序ついてはいかなる制限もない。
【００５６】
タッチ領域２００は円形状であり得る。この場合には、領域形成ポイント（１、２、３）は円周上の互いに異なる３個以上のポイントであり得る。または、前記タッチ領域２００は領域形成ポイント（１、２、３）のうちいずれか一つを中心とし、あらかじめ設定された半径を有する円であり得る。
【００５７】
前記の多様な例示のようにタッチ領域２００はタッチスクリーン１００のサイズ、形状、領域形成ポイント（１、２、３）の位置などにより自由に定義され得る。
【００５８】
図３、図５及び図６を参照すると、次いでタッチ領域内に識別パターンポイントをタッチして識別パターンを形成する（Ｓ３１０）。
【００５９】
識別パターンポイント（４、５、６）はタッチ領域２００内に存在し得る。識別パターンポイント（４、５、６）はタッチ領域２００内のタッチポイントの一部であり得る。識別パターンポイント（４、５、６）は一つであり得、複数でもあり得る。すなわち、所望する識別パターンの種類の数及びタッチスクリーン用識別パターンの形成装置５００の制限を考慮して識別パターンポイント（４、５、６）の個数を調整することができる。識別パターンポイント（４、５、６）は領域形成ポイント（１、２、３）と合わせて識別パターンを形成することができる。
【００６０】
図５を参照してタッチ領域２００が正方形である場合すなわち、図４のａ＝ｂ＝１０である場合を例に挙げる。領域形成ポイント（１、２、３）によってタッチ領域は総１０Ｘ１０＝１００個のタッチポイントを有する。ただし、エラーを防止するために領域形成ポイント（１、２、３）がある前記正方形の辺上のタッチポイントは除くことができる。ただし、これに制限されず、以前にタッチされたタッチポイントをタッチすることも許容され得る。
【００６１】
前記除外されるタッチポイントを考慮すると、総９Ｘ９＝８１個のタッチポイントがタッチ領域２００に存在し得る。したがって、第１識別パターンポイント４をタッチすると、総８１個の識別可能な識別パターンを完成することができる。
【００６２】
さらに、領域形成ポイント（１、２、３）をパターン識別に使用するため、同一のタッチ領域でもより多い種類の数の識別パターンを形成することができる。すなわち、第１及び第３領域形成ポイント（１、３）がタッチ領域２００の上辺及び左辺上の互いに異なる点をタッチする場合にも同一なタッチ領域２００が形成されるが、互いに異なる識別パターンを形成することができる。したがって、上辺上の第２領域形成ポイント２を除いた９個のタッチポイントのうちいずれか一つを第１領域形成ポイント１が選択する種類と、左辺上の第２領域形成ポイント２を除いた９個のタッチポイントのうちいずれか一つを第３領域形成ポイント３が選択する種類の数をさらに掛けることができる。したがって、総９Ｘ９Ｘ９Ｘ９＝６，５６１個のタッチポイントがタッチ領域２００に存在し得る。
【００６３】
図６を参照すると、第１識別パターンポイント４をタッチした後に、第２識別パターンポイント５をタッチし得る。第１識別パターンポイント４のタッチポイントを除くと仮定する場合、９Ｘ９Ｘ８１Ｘ８０＝５２４，８８０の種類の数を有する識別パターンを形成することができる。
【００６４】
仮に第３識別パターンポイント６を第１識別パターンポイント４及び第２識別パターンポイント５をタッチした後にタッチする場合、９Ｘ９Ｘ８１Ｘ８０Ｘ７９＝４１，４６５，５２０の種類の数を有する識別パターンを形成することができる。
【００６５】
数字で見ると、既存のマルチタッチと大きく変わらないように見えるが、領域形成ポイント（１、２、３）を利用してタッチ領域２００が形成されることによって重複するパターンを除く必要はない。すなわち、生成されたタッチ領域内ではパターンの模様が位置移動したり回転することができない。したがって、同一形状を位置移動したり回転移動した形状のパターンは同一の識別パターンではない他の識別パターンになる。
【００６６】
再び図３を参照すると、形成された識別パターンを印加して識別パターンに対応するあらかじめ設定されたイベントを実行する（Ｓ３２０）。
【００６７】
識別パターンは識別可能な個体のＩＤ役割を果たす。例えば、場所を特定することができる。したがって、特定の識別パターンはそれぞれの場所の識別パターンとして場所を識別することに使用され得る。また、特定識別パターンが場所でない特定の店や特定の担当者であり得る。したがって、このような識別パターンを利用して場所及びサービスの提供者を識別することができ、あらかじめ設定した前記識別パターンに対応するイベントを実行することができる。
【００６８】
あらかじめ設定されたイベントは例えば、命令、データ伝送及びリンクなどの行為であり得る。すなわち、前記識別パターンが印加されると、前記識別パターンに対応するデータを伝送する動作が行われ得る。ただし、これに制限されない。
【００６９】
前記データは前記タッチスクリーン１００のユーザが前記識別パターンに対応する場所に位置していたというデータであり得る。ただし、これに制限されない。例えば、前記タッチスクリーン１００のユーザが前記識別パターンに対応する店で購買をしたというデータでもあり得る。また、前記タッチスクリーン１００のユーザが前記識別パターンに対応する担当者にサービスを提供されたというデータでもあり得る。このようなデータは記録装置に保存され得る。例えば、前記タッチスクリーン１００を含む電子装置、例えば、タブレットＰＣまたはスマートフォンに保存及び表示され得る。
【００７０】
前述したように識別パターンがそれぞれの場所など数多くの識別個体を有する場合は、識別パターンの種類の数が大きいほど活用の可能性が高くなる。したがって、本発明の一実施形態によるタッチスクリーン用識別パターンの形成方法は、あらかじめ領域形成ポイント（１、２、３）をタッチして重複するパターンができることを防止し、識別パターンポイント（４、５、６）をタッチして識別パターンを形成する方法を使用し、数多くの種類の数を有する識別パターンを完成することができる。
【００７１】
領域形成ポイント（１、２、３）及び識別パターンポイント（４、５、６）は互いに異なる位置にタッチされ得る。すなわち、一度タッチされたタッチポイントには再びタッチしなくてもよい。ただし、これに制限されず、連続したタッチを識別できる信頼度が高い装置では同じ位置に領域形成ポイント（１、２、３）及び識別パターンポイント（４、５、６）がタッチされることができる。
【００７２】
前記識別パターンに対応するあらかじめ設定されたイベントは追加で位置情報などを利用して識別することができる。例えば、韓国で特定のパターン１がタッチされる場合とブラジルで特定のパターン１がタッチされる場合、互いに異なるイベントを実行することができる。位置情報を利用する単位は特に制限されない。国家ではなくても識別可能な位置別に識別パターンを制限させることができる。このような方式により、より多い個体を識別する識別パターンを形成することができる。
【００７３】
再び図３を参照すると、次いで、識別パターンが有効か否かを判断する（Ｓ３３０）。識別パターンの形成が有効であるか否かに対する判断手続が必要であり得る。例えば、指定された有効な位置で識別パターンが形成されたのかを識別して識別パターンの形成装置の盗難などに備えることができ、識別パターンを使用するが無数に多くなる場合に同じパターンを区別できる手続になる。
【００７４】
識別パターンが有効か否かを判断する段階は時間情報または位置情報をサーバに伝送する段階と、前記伝送された時間情報または位置情報を利用して前記サーバが前記識別パターンが有効か否かを判断する段階を含み得る。
【００７５】
識別パターンが印加された場合、識別パターンを印加した識別パターンの形成装置が前記あらかじめ指定されたイベントと共に前記識別パターンが印加された時間をサーバに伝送し得る。これと同時に、識別パターンの印加を受けたタッチスクリーンを含む電子装置が前記サーバに識別パターンの印加を受けた時間を伝送することができる。両時間の情報を比較して前記識別パターンの印加が有効か否かを判断することができる。
【００７６】
また、識別パターンが印加された位置情報も使用され得る。位置情報は一定の範囲内で同じ識別パターンが形成される場合、位置に基づいてこれを識別し、有効か否かを判断する基準になる。
【００７７】
前記位置情報は位置を認識できるすべての手段による情報であり得る。特に制限されないが、前記位置情報は例えば、ＧＰＳ（Ｇｌｏｂａｌ  Ｐｏｓｉｔｉｏｎｉｎｇ  Ｓｙｓｔｅｍ）方式、ＢＬＥ方式（Ｂｌｕｅｔｏｏｔｈ（登録商標）  ｌｏｗ  ｅｎｅｒｇｙ、ＢＬＥ）及びｗｉｆｉフィンガープリント方式などによって得られる。
【００７８】
前記時間情報と位置情報は同時に使用されることもでき、それぞれ独自に使用されることもできる。
【００７９】
サーバは前記時間情報及び／または位置情報を利用して前記印加された識別パターンが有効か否かを判断することができる。
【００８０】
以下、図７を参照して本発明の他の実施形態によるタッチスクリーン用識別パターンの形成方法について説明する。
【００８１】
図７は本発明の他の実施形態によるタッチスクリーン用識別パターンの形成方法を説明するための例示図である。
【００８２】
図７を参照すると、静電式のタッチスクリーン１００の場合は最小認識面積が存在する。最小認識面積とは、最小認識面積より広いタッチ面積３００がタッチされる場合、タッチ面積３００の中心ポイント４００として認識される面積をいう。したがって、最小認識面積の１０Ｘ１０＝１００倍となるタッチ領域２００の場合にも最小認識面積の場合の数よりはるかに多い数の中心ポイント４００が存在する。したがって、中心ポイント４００の個数だけ識別が可能になる識別パターンの種類の数も多くなる。したがって、本発明の活用度が大きく高まる。
【００８３】
以下、図６、図８及び図９を参照して本発明の一実施形態によるタッチスクリーン用識別パターンの形成装置について説明する。本発明のタッチスクリーン用識別パターンの形成方法と重複する部分は簡略または省略する。
【００８４】
図８は本発明の一実施形態によるタッチスクリーン用識別パターンの形成装置を説明するための斜視図であり、図９は本発明の一実施形態によるタッチスクリーン用識別パターンの形成装置のタッチを説明するための側面図である。
【００８５】
図６及び図８を参照すると、タッチスクリーン用識別パターンの形成装置５００は取手部５１０、ボタン部５２０、保護部５３０、タッチスクリーンタッチ部（５４０ａ、５４０ｂ、５４０ｃ）及び電子装置連結部５５０を含む。
【００８６】
取手部５１０は特に制限されないが、手で握られる柱形状であり得る。例えば取手部５１０は円柱形状であり得る。ただし、これに制限されない。取手部５１０はタッチスクリーン用識別パターンの形成装置５００を手で握り、ボタン部５２０を押すようにすることができる。
【００８７】
取手部５１０は例えば、導電性材質からなる。したがって、取手部５１０を手で握ったとき、手からの静電気が電気的な信号に伝送され得る。前記電気的な信号はボタン部５２０及びタッチスクリーンタッチ部（５４０ａ、５４０ｂ、５４０ｃ）に沿って流れ得る。前記電気的な信号は静電式のタッチスクリーン１００にタッチする場合はタッチスクリーン１００に伝達され得る。仮に、減圧式のタッチスクリーン１００を含む場合は、タッチスクリーン用識別パターンの形成装置５００は前記電気的な信号の代りに物理的な信号を伝達することができる。この場合は、取手部５１０は導電性材質に限定される必要はない。ただし、これに制限されない。
【００８８】
また、タッチスクリーン用識別パターンの形成装置５００が静電式のタッチスクリーン１００にタッチする場合にも、取手部５１０は導電性材質からならなくてもよい。取手部５１０が導電性材質からならない場合、タッチスクリーンタッチ部（５４０ａ、５４０ｂ、５４０ｃ）は他の方式によって電気的な信号を生産することができる。具体的には、タッチスクリーン用識別パターンの形成装置５００の内部バッテリーによる電流またはタッチスクリーン用識別パターンの形成装置５００が連結された電子装置の電流を利用して電気的な信号を生産することができる。この場合、ユーザはタッチスクリーン用識別パターンの形成装置５００を素手ではない手袋をはめた手でも使用することができる。
【００８９】
タッチスクリーン用識別パターンの形成装置５００はタッチスクリーン用識別パターンの形成装置５００が減圧式タッチスクリーンにタッチする場合は電気的な信号の代わりに圧力による物理的な信号を伝送し得る。このような場合は前述した電流の利用は必要とされない。
【００９０】
電子装置連結部５５０はタッチスクリーン用識別パターンの形成装置５００を電子装置に連結し得る。電子装置連結部５５０はタッチスクリーン用識別パターンの形成装置５００を電子装置に連結する有線形式の端部であり得る。または、電子装置連結部５５０は近距離無線通信などを利用して無線に連結されるための分離したパーツの形態であり得る。
【００９１】
電子装置連結部５５０が有線である場合は取手部５１０が導電性材質ではなくても電子装置連結部５５０を介して外部の電流の供給を受けることができる。すなわち、静電式のタッチスクリーン１００に対し、電気的信号を生成するときに、電子装置連結部５５０を介した電流を利用することができる。一方、電子装置連結部５５０が無線である場合にもタッチスクリーン用識別パターンの形成装置５００内のバッテリーから生成された電流を利用して前記電気的信号を生成することができる。
【００９２】
ボタン部５２０は圧力によって押される。押されたボタン部５２０は復原力によって再び元の状態に戻ることができる。ボタン部５２０は図面に示すように、取手部５１０及びタッチスクリーンタッチ部（５４０ａ、５４０ｂ、５４０ｃ）と一体型からなる。ただし、これに制限されない。ボタン部５２０が押されると、タッチスクリーン用識別パターンの形成装置５００が特定データをサーバに伝送するか、または、電源がオンオフされ得る。ボタン部５２０は必須の構成ではないので、省略することができる。
【００９３】
タッチスクリーンタッチ部（５４０ａ、５４０ｂ、５４０ｃ）は物理的接触によって電気的な信号をタッチスクリーン１００に伝達し得る。前記「物理的接触」とは、単に物体が接することに制限されない。すなわち、タッチスクリーン１００の一面と他の物体の一面が接しなくても相互作用が起こる場合は物理的接触が起きたと定義する。したがって、バーコード認識やＱＲコード（登録商標）認識のように互いに接しないセンシング動作なども物理的接触に含まれる。すなわち、一定間隔が維持された状態で起きる電気的、オプティカル（ｏｐｔｉｃａｌ）相互作用も物理的接触と定義する。
【００９４】
タッチスクリーンタッチ部（５４０ａ、５４０ｂ、５４０ｃ）は取手部５１０が導電性材質である場合、手から流れる電流または電子装置連結部５５０を介して流れる電流を利用した電気的な信号をタッチスクリーン１００に印加することができる。
【００９５】
または、タッチスクリーンタッチ部（５４０ａ、５４０ｂ、５４０ｃ）がスイッチ形式で突出し、物理的接触によって押されながらタッチスクリーン用識別パターンの形成装置５００またはタッチスクリーン用識別パターンの形成装置５００と連結された電子装置の電気的または物理的信号を伝達することができる。このような方式は、タッチスクリーン１００が静電式であるかまたは減圧式であるかとは関係なく信号を伝達することができる。
【００９６】
タッチスクリーンタッチ部（５４０ａ、５４０ｂ、５４０ｃ）は複数であり得る。タッチスクリーンタッチ部（５４０ａ、５４０ｂ、５４０ｃ）が３つの場合を示したが、領域形成ポイント（１、２、３）及び識別パターンポイント（４、５、６）の数に応じて調節され得る。すなわち、特に制限されない。
【００９７】
タッチスクリーンタッチ部（５４０ａ、５４０ｂ、５４０ｃ）は先に領域形成ポイント（１、２、３）をタッチし、その後に識別パターンポイント（４、５、６）をタッチすることができる。領域形成ポイント（１、２、３）及び識別パターンポイント（４、５、６）をタッチするタッチスクリーンタッチ部（５４０ａ、５４０ｂ、５４０ｃ）は順次に電気的な信号及び物理的な信号を印加することができる。
【００９８】
タッチスクリーンタッチ部（５４０ａ、５４０ｂ、５４０ｃ）によりタッチスクリーン１００には多様な識別パターンが形成され得る。具体的には、タッチ領域を定義するために領域形成ポイント（１、２、３）が先にタッチされ、その後識別パターンポイント（４、５、６）がタッチされ得る。このようなタッチは電気的な信号または物理的な信号が自動で順次印加されることによって行われ得る。前記タッチは一定の時間間隔を含んで順次に行われ得る。前記一定の時間間隔において「一定」とは微細な時間差を含む概念である。
【００９９】
タッチスクリーンタッチ部（５４０ａ、５４０ｂ、５４０ｃ）は図面に示すように、複数からなる。ただし、３つの場合を示しているが、これは例示に過ぎず、数に制限はない。タッチスクリーンタッチ部（５４０ａ、５４０ｂ、５４０ｃ）の配列はあらかじめ設定され得る。タッチスクリーンタッチ部（５４０ａ、５４０ｂ、５４０ｃ）の配列は領域形成ポイント（１、２、３）及び識別パターンポイント（４、５、６）の形状に応じて決定され得る。
【０１００】
領域形成ポイント（１、２、３）はタッチ領域２００を形成するためのポイントであるが、領域形成ポイント（１、２、３）のためのタッチスクリーンタッチ部（５４０ａ、５４０ｂ、５４０ｃ）の配列はタッチ領域２００より狭い範囲であり得る。具体的には、タッチスクリーンタッチ部（５４０ａ、５４０ｂ、５４０ｃ）は領域形成ポイント（１、２、３）及びあらかじめ設定された図形の制約条件、例えば、辺の長さ及び半径の長さなどを調整することによって領域形成ポイント（１、２、３）のためのタッチスクリーンタッチ部（５４０ａ、５４０ｂ、５４０ｃ）の配列より広い範囲のタッチ領域２００を定義することができる。
【０１０１】
保護部５３０はタッチスクリーンタッチ部（５４０ａ、５４０ｂ、５４０ｃ）を保護するためにタッチスクリーンタッチ部（５４０ａ、５４０ｂ、５４０ｃ）を囲み得る。保護部５３０はタッチスクリーンタッチ部（５４０ａ、５４０ｂ、５４０ｃ）に意図しない電流が流れるのを防止するために絶縁体からなる。
【０１０２】
図９を参照すると、タッチスクリーン用識別パターンの形成装置はタッチスクリーン１００との物理的接触によって識別パターンを形成することができる。前記「物理的接触」とは、単に物体が接することに制限されない。すなわち、タッチスクリーン１００の一面と他の物体の一面が接しなくても相互作用が起きる場合は物理的接触が起きたと定義する。したがって、バーコード認識やＱＲコード（登録商標）認識のように互いに接しないセンシング動作なども物理的接触に含まれる。すなわち、一定間隔が維持された状態で起きる電気的、オプティカル（ｏｐｔｉｃａｌ）相互作用も物理的接触と定義する。タッチスクリーン１００はスマートフォン１０やタブレットＰＣなどに取り付けられたタッチスクリーンであり得る。
【０１０３】
以下、図１０及び図１１を参照して本発明の他の実施形態によるタッチスクリーン用識別パターンの形成装置を説明する。本実施形態には前述した実施形態とタッチスクリーンタッチ部を除いては同様であるため、重複する説明は簡略または省略する。
【０１０４】
図１０は本発明の他の実施形態によるタッチスクリーン用識別パターンの形成装置を説明するための斜視図であり、図１１は図１０のタッチスクリーンタッチ部を細部的に説明するための拡大側面図である。
【０１０５】
図１０を参照すると、タッチスクリーンタッチ部５４１は単一の面を有し得る。タッチスクリーンタッチ部５４１は単一の面でタッチポイントに対応するそれぞれのタッチが可能である。
【０１０６】
図１１を参照すると、タッチスクリーンタッチ部５４１は接触部５４２及び信号印加部５４３を含む。
【０１０７】
接触部５４２はタッチスクリーン１００と実際に接触する部分であり得る。接触部５４２はタッチスクリーン１００が静電式である場合に静電気が流れる材質であり得る。この場合、接触部５４２が必ず導電体である必要はなく、静電気が流れる誘電体であり得る。接触部５４２はタッチスクリーン１００が減圧式である場合は圧力を伝達することができれば、その材質や形状にいかなる制限はない。
【０１０８】
信号印加部５４３は接触部５４２上に隣接して形成され得る。信号印加部５４３は接触部５４２に電気的信号または物理的な信号を印加することができる。信号印加部５４３は領域形成ポイント（１、２、３）及び識別パターンポイント（４、５、６）の位置及びタッチ間隔を演算する回路を含み得る。前記演算によって信号印加部５４３は接触部５４２に電気的または物理的信号を演算された位置に演算された時間間隔で印加することができる。
【０１０９】
これによって、本発明のタッチスクリーン用識別パターンの形成装置は物理的に複数のタッチスクリーンタッチ部（図８の５４０ａ、５４０ｂ、５４０ｃ）を位置によって配列して設置する必要はなく、一つの面単位のタッチスクリーンタッチ部５４１として多様な識別パターンを印加することができる。
【０１１０】
また、毎回新しいパターンを印加することができるため、製作費用及び多様性の側面においても長所がある。
【０１１１】
前記タッチスクリーン１００に印加される識別パターンは国家別に分類されて識別に使用され得る。例えば、前記識別パターンが場所を表現する場合は、各国家別に同じ識別パターンを使用しても、国家コードが異なるように認識されて互いに識別され得る。さらに、前記識別パターンに他の方式の識別パターンを結合してさらに多くの種類の数を有する識別パターンを生成する方式も考えられるのは勿論である。
【０１１２】
以上添付する図面を参照して本発明の実施形態について説明したが、本発明が属する技術分野における通常の知識を有する者は、本発明のその技術的思想や必須の特徴を変更しない範囲で他の具体的な形態で実施され得ることを理解することができる。したがって上記実施形態はすべての面で例示的なものであり、限定的なものではないと理解しなければならない。
【図１】
2017504117.tif 000003
【図２】
2017504117.tif 000004
【図３】
2017504117.tif 000005
【図４】
2017504117.tif 000006
【図５】
2017504117.tif 000007
【図６】
2017504117.tif 000008
【図７】
2017504117.tif 000009
【図８】
2017504117.tif 000010
【図９】
2017504117.tif 000011
【図１０】
2017504117.tif 000012
【図１１】
2017504117.tif 000013
【国際調査報告】
2017504117.tif 000014
2017504117.tif 000015
2017504117.tif 000016
2017504117.tif 000017